(57)【要約】動力装置が電源と二つの電源スイッチを具え、伝動装置はモータ、伝動歯車及び作動歯車を具え動力装置の駆動を受け、作動歯車は一部に作動歯を有し、制御装置は二つの押しボタン、係止装置、ロックブロックを具え、二つの押しボタンが押圧される時、動力装置と伝動装置を駆動し係止装置がロックブロックの押圧を受け外に移動し、衝撃装置は衝撃筒、撃板、及び弾性部品を具え、弾性部品の弾力開放時に撃板が釘列を押し出し、且つ衝撃筒が作動歯車の作動歯により駆動され、動力導通時に作動歯車の駆動により衝撃筒が後退し、作動歯が衝撃筒に噛み合わなくなる時、衝撃筒が前に釘列を押し出し、係止装置が作動歯車のプッシュロッドに押されロックブロックの係止を離脱し、位置を回復し電力切断し、その後、一つの押しボタンを開放すると、ロックブロックが再び係止装置を係止する。
2005529763.tif 000002
【特許請求の範囲】
【請求項１】
ケース、動力装置、伝動装置、制御装置及び衝撃装置で構成され、
該ケースは、使用者の手部が通され握持に供される穿孔を具え、ケース内部は部品の収容或いは固定に供され、その出釘側に収容溝が設けられて釘列と釘列を押す弾性部品が収容され、且つケースに案内室が設けられ、
該動力装置は、電源と第１電源スイッチ、第２電源スイッチの少なくとも二つの電源スイッチを具え、二つの電源スイッチがそれぞれ突出接触部を具え、
該伝動装置は、モータ、伝動歯車セット及び作動歯車を具え、モータは動力装置に接続され、伝動歯車セットはモータに駆動されて作動歯車を駆動し、且つ作動歯車が一部に作動歯を具え、
該制御装置は、少なくとも第１押しボタン、第２押しボタンの二つの押しボタン、及び係止装置及びロックブロックを具え、第１押しボタンが押圧される時、第１電源スイッチの突出接触部を押圧して導通状態を形成し、第２押しボタンはロックブロックを弾性部品と共に収容してロックブロックを弾性突出可能とし、該係止装置は長孔を具えて該長孔がケース内部に延設さえた軸柱の挿通に供され、該軸柱が長孔行程を移動可能とされ、また係止装置のロックブロックに対応する側に係止孔が設けられてロックブロックが進入し、第２押しボタンが押圧される時、係止装置がロックブロックの押し上げにより移動し、且つ別の弾性部品の牽引を受け、係止装置が未だ押動を受けない時、弾性部品の牽引により第２電源スイッチが停電状態を保持し、且つ係止装置が外に押される時、第２電源スイッチが導通し、
該衝撃装置は、ケースの案内室内に設けられ、少なくとも衝撃筒、撃板、弾性部品を具え、弾性部品の一側が衝撃筒内に設けられ、別側はケースの案内室の後側内壁に当接し、衝撃筒の前端に撃板が固定され、弾性部品が弾性開放する時撃板により釘列を打撃し、衝撃筒に貫通溝に対応してラックが設けられ、且つラックが作動歯車の作動歯の駆動を受け、
以上により、第１押しボタンと第２押しボタンが押圧されて係止装置がロックブロックの押し上げにより移動して動力を導通させる時、作動歯車が回転し、その作動歯が衝撃筒のラックに噛み合い、衝撃筒が前に打撃して撃板により釘列を押し出すことを特徴とする、ネイルガン。
【請求項２】
請求項１記載のネイルガンにおいて、第１押しボタン、第２押しボタンとケース内部の間に弾性体が設けられ、それが未押圧時に外向きに支持され、且つ第２電源スイッチの突出接触部が押圧される時、停電状態とされ、且つ係止装置が常態に回復する時、弾性部品の牽引により第２電源スイッチの突出接触部が押圧されることを特徴とする、ネイルガン。
【請求項３】
請求項２記載のネイルガンにおいて、係止装置が湾曲部分を具え、長孔が該湾曲部分に設けられ、ロックブロックが斜め案内部を具え、且つ作動歯車の側面にプッシュロッドが設けられ、作動歯車が回転してそのプッシュロッドが係止装置を押圧する時、係止装置が長孔部分を軸心として回転し、係止孔がロックブロックの係止より離脱し、且つ弾性部品の牽引を受けた後に係止装置が回復して第２電源スイッチの突出接触部に接触して停電し、プッシュロッドが回転して係止装置を押圧しなくなると、係止装置がそれ以上回転せず、第２押しボタンを押圧せず、ロックブロックがその斜め案内部の案内により係止孔中に導入されて係止を回復することを特徴とする、ネイルガン。
【請求項４】
請求項１記載のネイルガンにおいて、案内室の底側に貫通溝が設けられて衝撃筒のラックが挿通することを特徴とする、ネイルガン。
【請求項５】
請求項１記載のネイルガンにおいて、電源が電線電源とされるか二次電池とされたことを特徴とする、ネイルガン。
【請求項６】
請求項１記載のネイルガンにおいて、作動歯車の作動歯が半環部分に設けられたことを特徴とする、ネイルガン。
【請求項７】
請求項１記載のネイルガンにおいて、第２押しボタンに収容室が設けられ、且つ収容室に弾性部品が設けられてロックブロックがこの弾性部品の上方に収容されて弾性突出可能とされたことを特徴とする、ネイルガン。
【請求項８】
請求項１記載のネイルガンにおいて、ケースにあって衝撃装置の前端部分に収容孔が設けられ、収容孔内に接触ロッドが設けられ、該接触ロッドが弾性部品に付勢され、圧力を受けない時に常態でケースより突出し、接触ロッド内端に押し棒が設けられ、別に第３電源スイッチが設けられ、該第３電源スイッチに突出接触部が設けられてそれに動力部品が接続され、且つ押し棒は接触ロッド１８が外から内に押圧される時、第３電源スイッチの突出接触部を押圧し、導通を形成することを特徴とする、ネイルガン。
【請求項９】
請求項１記載のネイルガンにおいて、衝撃装置の弾性部品の別側が当接片に接続され、該当接片にピンが通され、該ピンの外側に回転つまみが設けられたことを特徴とする、ネイルガン。
【発明の詳細な説明】
【技術分野】
【０００１】
本発明は一種のネイルガンに係り、特に、一部に作動歯を有する作動歯車が衝撃筒に噛み合うか否かにより、衝撃筒の後退と回復を制御する設計と、動力装置、制御装置の組合せにより、構造が簡単で、機能が増されたネイルガンの構造に関する。
【背景技術】
【０００２】
市場の競争が激烈となり、各種の工業技術が日々進歩するなかにあって、各メーカーは不断に研究開発を行ない、既存の製品の技術領域を突破して市場を占有するチャンスを狙っている。このため周知のネイルガンについても、業界が製造する構造には多くの形式があり、且つそれぞれに機能訴求、構造の創意を有しているが、その最大の欠点は現在のネイルガンの動力ソースは気動方式とされ、その設備は空気圧縮機と空気パイプをネイルガンに接続しなければならず、ゆえに周辺設備が多くなり、且つ使用、携帯上の不便を形成することであり、特に、施工場所を変換する時、一般家庭内では空気圧縮機等の設備をおけないためネイルガンは一般家庭では使用できず、このため常に変化が求められる市場での競争にあって、更に新規で、簡単で、周知の欠点を改善し、機能が増されその競争力を増さねば勝利のチャンスはない。
【発明の開示】
【発明が解決しようとする課題】
【０００３】
本発明は周知の技術の気動方式を電動方式に改変し、且つ最も好ましくは無線式の電動方式とし、その使用、携帯の便利性を増す。ゆえに、本発明の主要な目的は、使用に便利で、構造が簡単で、機能が増され、進歩性を有する一種の斬新な構造の電動ネイルガンを提供することにある。
【０００４】
本発明は、ケース、動力装置、伝動装置、制御装置及び衝撃装置で構成されている。そのうち、動力装置は電源と少なくとも二つの電源スイッチを具え、電源は商用電源を電源コードで提供するか或いは二次電池とされ、伝動装置はモータ、伝動歯車及び作動歯車を具えて動力装置の駆動を受け、且つ作動歯車は一部だけに作動歯を有し、制御装置は二つの押しボタン、係止装置及びロックブロックを具え、二つの押しボタンが押圧される時、動力装置と伝動装置が駆動され、このとき、係止装置がロックブロックの押圧を受けて外に移動し、並びに作動歯車に別に設けられたプッシュロッドに歯車回転後に押圧され、且つ押圧されてロックブロックの係止より離脱して位置を回復し電力切断し、またその一つの押しボタンが押圧されないと、ロックブロックが再び係止装置を係止して原状に回復し、これが反復して釘を打つロック係止構造の根拠とされ、衝撃装置は衝撃筒、撃板、及び弾性部品を具え、弾性部品が衝撃筒内に設けられ、それが弾力開放に撃板により釘列を押し出し、且つ衝撃筒が作動歯車の作動歯により駆動され、これにより動力導通時に作動歯車の駆動により衝撃筒が後退し、作動歯が衝撃筒に噛み合わない時、衝撃筒が前に釘列を押し出し、係止装置が作動歯車のプッシュロッドに押されてロックブロックの係止を離脱し、位置を回復し電力切断し、その後、更に一つの押しボタンを開放すると、ロックブロックが再び係止装置を係止して原状を回復し、こうして構造が簡単で新規な電動ネイルガン構造が形成される。
【０００５】
本発明の主要な目的は、斬新なネイルガン構造を提供することにあり、それは動力に電動方式を採用し、商用電源を電線で導入するか或いは二次電池を使用し、且つ構造が簡単で、衝撃装置の作動が平穏で確実であり、構造品質を確保できる進歩性を具備するものとする。
【課題を解決するための手段】
【０００６】
請求項１の発明は、ケース、動力装置、伝動装置、制御装置及び衝撃装置で構成され、  該ケースは、使用者の手部が通され握持に供される穿孔を具え、ケース内部は部品の収容或いは固定に供され、その出釘側に収容溝が設けられて釘列と釘列を押す弾性部品が収容され、且つケースに案内室が設けられ、
該動力装置は、電源と第１電源スイッチ、第２電源スイッチの少なくとも二つの電源スイッチを具え、二つの電源スイッチがそれぞれ突出接触部を具え、
該伝動装置は、モータ、伝動歯車セット及び作動歯車を具え、モータは動力装置に接続され、伝動歯車セットはモータに駆動されて作動歯車を駆動し、且つ作動歯車が一部に作動歯を具え、
該制御装置は、少なくとも第１押しボタン、第２押しボタンの二つの押しボタン、及び係止装置及びロックブロックを具え、第１押しボタンが押圧される時、第１電源スイッチの突出接触部を押圧して導通状態を形成し、第２押しボタンはロックブロックを弾性部品と共に収容してロックブロックを弾性突出可能とし、該係止装置は長孔を具えて該長孔がケース内部に延設さえた軸柱の挿通に供され、該軸柱が長孔行程を移動可能とされ、また係止装置のロックブロックに対応する側に係止孔が設けられてロックブロックが進入し、第２押しボタンが押圧される時、係止装置がロックブロックの押し上げにより移動し、且つ別の弾性部品の牽引を受け、係止装置が未だ押動を受けない時、弾性部品の牽引により第２電源スイッチが停電状態を保持し、且つ係止装置が外に押される時、第２電源スイッチが導通し、
該衝撃装置は、ケースの案内室内に設けられ、少なくとも衝撃筒、撃板、弾性部品を具え、弾性部品の一側が衝撃筒内に設けられ、別側はケースの案内室の後側内壁に当接し、衝撃筒の前端に撃板が固定され、弾性部品が弾性開放する時撃板により釘列を打撃し、衝撃筒に貫通溝に対応してラックが設けられ、且つラックが作動歯車の作動歯の駆動を受け、
以上により、第１押しボタンと第２押しボタンが押圧されて係止装置がロックブロックの押し上げにより移動して動力を導通させる時、作動歯車が回転し、その作動歯が衝撃筒のラックに噛み合い、衝撃筒が前に打撃して撃板により釘列を押し出すことを特徴とする、ネイルガンとしている。
請求項２の発明は、請求項１記載のネイルガンにおいて、第１押しボタン、第２押しボタンとケース内部の間に弾性体が設けられ、それが未押圧時に外向きに支持され、且つ第２電源スイッチの突出接触部が押圧される時、停電状態とされ、且つ係止装置が常態に回復する時、弾性部品の牽引により第２電源スイッチの突出接触部が押圧されることを特徴とする、ネイルガンとしている。
請求項３の発明は、請求項２記載のネイルガンにおいて、係止装置が湾曲部分を具え、長孔が該湾曲部分に設けられ、ロックブロックが斜め案内部を具え、且つ作動歯車の側面にプッシュロッドが設けられ、作動歯車が回転してそのプッシュロッドが係止装置を押圧する時、係止装置が長孔部分を軸心として回転し、係止孔がロックブロックの係止より離脱し、且つ弾性部品の牽引を受けた後に係止装置が回復して第２電源スイッチの突出接触部に接触して停電し、プッシュロッドが回転して係止装置を押圧しなくなると、係止装置がそれ以上回転せず、第２押しボタンを押圧せず、ロックブロックがその斜め案内部の案内により係止孔中に導入されて係止を回復することを特徴とする、ネイルガンとしている。
請求項４の発明は、請求項１記載のネイルガンにおいて、案内室の底側に貫通溝が設けられて衝撃筒のラックが挿通することを特徴とする、ネイルガンとしている。
請求項５の発明は、請求項１記載のネイルガンにおいて、電源が電線電源とされるか二次電池とされたことを特徴とする、ネイルガンとしている。
請求項６の発明は、請求項１記載のネイルガンにおいて、作動歯車の作動歯が半環部分に設けられたことを特徴とする、ネイルガンとしている。
請求項７の発明は、請求項１記載のネイルガンにおいて、第２押しボタンに収容室が設けられ、且つ収容室に弾性部品が設けられてロックブロックがこの弾性部品の上方に収容されて弾性突出可能とされたことを特徴とする、ネイルガンとしている。
請求項８の発明は、請求項１記載のネイルガンにおいて、ケースにあって衝撃装置の前端部分に収容孔が設けられ、収容孔内に接触ロッドが設けられ、該接触ロッドが弾性部品に付勢され、圧力を受けない時に常態でケースより突出し、接触ロッド内端に押し棒が設けられ、別に第３電源スイッチが設けられ、該第３電源スイッチに突出接触部が設けられてそれに動力部品が接続され、且つ押し棒は接触ロッド１８が外から内に押圧される時、第３電源スイッチの突出接触部を押圧し、導通を形成することを特徴とする、ネイルガンとしている。
請求項９の発明は、請求項１記載のネイルガンにおいて、衝撃装置の弾性部品の別側が当接片に接続され、該当接片にピンが通され、該ピンの外側に回転つまみが設けられたことを特徴とする、ネイルガンとしている。
【発明の効果】
【０００７】
本発明は一種のネイルガンに係り、特に、一部に作動歯を有する作動歯車が衝撃筒に噛み合うか否かにより、衝撃筒の後退と回復を制御する設計と、動力装置、制御装置の組合せにより、構造が簡単で、機能が増されたネイルガンの構造を提供している。
【発明を実施するための最良の形態】
【０００８】
本発明は、ケース１、動力装置２、伝動装置３、制御装置４及び衝撃装置５で構成されている。
【０００９】
該ケース１は、使用者の手部が通され握持に供される穿孔１１を具え、ケース１内部は部品の収容或いは固定に供され、その出釘側に収容溝１２が設けられて釘列１３と釘列１３を押す弾性部品１４が設けられ、且つケース１に案内室１５が設けられ、該案内室１５に衝撃装置５が収容され、案内室１５の底側に貫通溝１５１が設けられている。
【００１０】
該動力装置２は、電源２１と第１電源スイッチ２２、第２電源スイッチ２３の少なくとも二つの電源スイッチを具え、電源２１は一般の電線電源（図２の如し）或いは二次電池（図１の如し）とされ得て、第１電源スイッチ２２及び第２電源スイッチ２３はいずれも電源２１に接続され、且ついずれも感応部、例えば突出接触部２２１、２３１或いはその他の同じ機能を具備する構造を具え、第１電源スイッチ２２の突出接触部２２１が押圧さされる時は導通状態とされ、第２電源スイッチ２３の突出接触部２３１が押圧される時は電力切断状態とされる（これは周知の配線変化であり、本発明の主要な技術内容ではないため、説明を省略する。）。
【００１１】
伝動装置３は、モータ３１、伝動歯車セット３２及び作動歯車３３を具え、モータ３１は動力装置２に接続され、動力装置２の連通により作動し、伝動歯車セット３２はモータ３１に駆動され、且つ変速の機能を具え（また変速歯車セットと称され、この部分は減速用である）、伝動歯車セット３２の最後が作動歯車３３を駆動し、作動歯車３３は一部に作動歯３３１を具え、図示される実施例では半環部分の歯を有し、また作動歯車３３は側面に突出するプッシュロッド３３２を具えている。作動歯車３３の作動歯３３１は衝撃装置５の衝撃筒５１に作用してそれを後退させ、ゆえに歯数は要求される衝撃筒５１の後退程度により定められ、図示される実施例では半環部に作動歯が設けられている。
【００１２】
制御装置４は少なくとも第１押しボタン４１、第２押しボタン４２の二つの押しボタン、及び一つの係止装置４３及びロックブロック４４を具えている。第１押しボタン４１、第２押しボタン４２はケース１の穿孔１１の後端に設けられ、それとケース１内部の間に弾性体４５が設けられ、それが未押圧時に、外向きの押圧状態を保持し、且つ第１押しボタン４１が押圧される時、第１電源スイッチ２２の突出接触部２２１を押圧し、それを導通状態となし（図３）、第２押しボタン４２に収容室４２１が設けられ、且つ弾性部品４２２を収容し、並びにロックブロック４４は斜め案内部４４１を具えている。別に係止装置４３は湾曲部分を具えて例えばＬ形とされ、その湾曲部分に長孔４３１が設けられてケース１内部に延設された軸柱１６が挿通し、係止装置４３が長孔４３１の工程中を移動可能とされ、また係止装置４３のロックブロック４４に対応する側に係止孔４３２が設けられ、且つロックブロック４４の挿通に適したものとされ、並びに第２押しボタン４２が押圧される時、係止装置４３がロックブロック４４の押圧により移動し、且つ弾性部品４３３の牽引を受け（図３）、移動後に回復の弾性を具え、弾性部品４３３の一端は係止装置４３に接続され、別端はケース１内部に接続されている。係止装置４３が押動を受けない時、弾性部品４３３の牽引により第２電源スイッチ２３の突出接触部２３１に対する押圧が保持され、これによりそれが電力切断状態を保持し（図１参照）、それがロックブロック４４により外向きに押される時、第２電源スイッチ２３が導通し（図３）、動力装置２が通電状態の時、作動歯車３３が回転し、そのプッシュロッド３３２が係止装置４３を押圧し、係止装置４３が長孔４３１部分を軸として回転し（図５）、係止孔４３２がロックブロック４４の係止より離脱し、弾性部品４３３の弾性回復力作用を受けて回復し第２電源スイッチ２３の突出接触部２３１に圧接し電力を切断し、且つプッシュロッド３３２が係止装置４３を押圧しなくなると、係止装置４３はそれ以上回転しない（図６）。
【００１３】
衝撃装置５は、少なくとも衝撃筒５１、撃板５２、弾性部品５３を具え、弾性部品５３の一側が衝撃筒５１内に設けられ、別側はケース１の案内室１５の後側内壁に当接するか、或いは弾性部品５３の別側が当接片５４に当接し（図７）、当接片５４に更にピン５５が通されピン５５の外側に回転ボタン５５１が設けられ、該回転ボタン５５１が弾性部品５３の弾性力の調節に供される。衝撃筒５１は案内室１５内に設けられ、その前端に撃板５２が固定され、弾性部品５３が弾性開放する時撃板５２により釘列１２を打撃し、衝撃筒５１に貫通溝１５１に対応してラック５１１が設けられ、且つラック５１１が貫通溝１５１を挿通した後に作動歯車３３の作動歯３３１の駆動を受ける（図８参照）。
【００１４】
以上の構成により、実施時には、使用者は第１押しボタン４１及び第２押しボタン４２を押す（図３）。そのうち、係止装置４３はロックブロック４４に押圧されて移動し、且つ弾性部品４３３の牽引を受けて回復の弾性を得て、この時、その動力はすでに導通し、同時の作動歯車３３が回転し、その作動歯３３１が衝撃筒５１のラック５１１に噛み合う時、衝撃筒５１を駆動して後退させ（図４）、この時、弾性部品５３３が弾性回復力を保存し、作動歯３３１がラック５１１と噛み合わなくなる時、瞬間的に衝撃筒５１を前に打たせて撃板５２により釘列１３を押し出させ（図４）、こうして一次の釘打ちの操作を完成し、その後、作動歯車３３が続けて回転し、そのプッシュロッド３３２が係止装置４３を押圧する時、係止装置４３が長孔４３１部分を軸心として回転し（図５）、係止孔４３２がロックブロック４４の係止より離脱し、且つ弾性部品４３３の牽引により後退し第２電源スイッチ２３の突出接触部２３１に圧接して電源を切断し、プッシュロッド３３２が係止装置４３を押圧しなくなる時、係止装置４３がそれ以上回転せず（図６）、使用者が第２押しボタン４２を開放すると、ロックブロック４４がその斜め案内部４４１を利用して係止孔４３２中に導入されて係止状態に回復し（図１）、一次作動の操作が完成する。
【００１５】
更に、図７、８、９に示されるように、ケース１の衝撃装置５の前端部分に別に収容孔１７が設けられ、該収容孔１７内に接触ロッド１８が枢設され、接触ロッド１８に弾性部品１９が嵌合され、圧迫されない時に状態でケース１より突出し、接触ロッド１８の内端に押し棒１０が固定され、更に第３電源スイッチ２４が設けられ、それもまた突出接触部２４１を具えて動力装置２に接続され、且つ押し棒１０が接触ロッド１８が外から内に押圧される時（図１１）、第３電源スイッチ２４の突出接触部２４１を押圧し、導通を形成し、操作時に使用者が直接接触ロッド１８の前端を釘打ち部分に押しつけると、第３電源スイッチ２４が導通し、その後、前述と同様の操作プロセスの操作により、３つの電源スイッチの保険構造が構成される。
【００１６】
以上の構造設計及び改良を受け、本発明は、動力装置２、伝動装置３、制御装置４、及び衝撃装置５の組合せ構造により、少なくとも二つの電源スイッチのほか、作動歯車３３、ラック５１１及び係止装置４３、ロックブロック４４の連動設計が本発明の構造の核心とされ、ネイルガンの構造の簡易化、衝撃筒の作動が平穏で確実とされ及び構造品質確保の進歩性目標を達成し、且つその動力が電力方式に改められて空気圧縮機の周辺設備を免除し、特に二次電池の利用により各種の作業場所、家庭での使用に適合し、且つ電線電源を採用して家庭生活中で使用でき、且つ現在ＤＩＹ工具、製品の流行の下、その動力の心配がなく、取得しやすく、更に本発明の製品の進歩性が明らかであり、周知の技術と較べて技術上、明らかに進歩しており、ネイルガン製品に革命をもたらすものである。
【００１７】
総合すると、本発明の新規な構造は産業上の利用性、新規性、進歩性を具え、特許の要件を具備している。なお、以上の実施例は本発明の範囲を限定するものではなく、本発明に基づきなしうる細部の修飾或いは改変は、いずれも本発明の請求範囲に属するものとする。
【図面の簡単な説明】
【００１８】
【図１】本発明の部品組合せを示す平面図である。
【図２】本発明の電線電源を用いた部品組合せを示す平面図である。
【図３】本発明の二つの押しボタンが押された時の構造図である。
【図４】本発明の衝撃筒圧縮後の構造作動図である。
【図５】本発明の衝撃筒が前に打撃後の構造作動図である。
【図６】本発明の係止装置の回復後の構造図である。
【図７】本発明のもう一つの構造実施例図である。
【図８】図１のＡ−Ａ’線構造表示図である。
【図９】図７のＢ部分の構造拡大図である。
【図１０】図７のＣ−Ｃ’線構造表示図である。
【図１１】図７の押し棒が押圧された時の構造作動図である。
【符号の説明】
【００１９】
１  ケース                １１  穿孔
１２  収容溝              １３  釘列
１４  弾性部品            １５  案内室
１５１  貫通溝            １６  軸柱
１７  収容孔              １８  接触ロッド
１９  弾性部品            １０  押し棒
２  動力装置              ２１  電源
２２  第１電源スイッチ    ２２１  突出接触部
２３  第２電源スイッチ    ２３１  突出接触部
２４  第３電源スイッチ    ２４１  突出接触部
３  伝動装置              ３１  モータ
３２  伝動歯車セット      ３３  作動歯車
３３１  作動歯            ３３２  プッシュロッド
４  制御装置              ４１  第１押しボタン
４２  第２押しボタン      ４２１  収容室
４２２  弾性部品          ４３  係止装置
４３１  長孔              ４３２  係止孔
４３３  弾性部品          ４４  ロックブロック
４４１  斜め案内部        ４５  弾性体
５  衝撃装置              ５１  衝撃筒
５１１  ラック            ５２  撃板
５３  弾性部品            ５４  当接片
５５  ピン                ５５１  回転つまみ
【図１】
2005529763.tif 000003
【図２】
2005529763.tif 000004
【図３】
2005529763.tif 000005
【図４】
2005529763.tif 000006
【図５】
2005529763.tif 000007
【図６】
2005529763.tif 000008
【図７】
2005529763.tif 000009
【図８】
2005529763.tif 000010
【図９】
2005529763.tif 000011
【図１０】
2005529763.tif 000012
【図１１】
2005529763.tif 000013
【国際調査報告】
2005529763.tif 000014
2005529763.tif 000015
2005529763.tif 000016
2005529763.tif 000017